(57)【特許請求の範囲】
【請求項１】
配線基板に実装された状態で相手コネクタが嵌合されるコネクタ本体部を備えたものであって、
前記コネクタ本体部に取り付けられたコンタクト部材が、前記配線基板上の導電路に接続される基板接続脚部を有する電気コネクタにおいて、
前記コネクタ本体部に、前記コンタクト部材の基板接続脚部を覆うシールドプレートが設けられ、
当該シールドプレートが、前記コンタクト部材の基板接続脚部を配線基板の外方側から覆うシールド位置と、前記基板接続脚部を配線基板の外方に露出させる非シールド位置との間で往復移動可能に設けられているとともに、
前記配線基板の表面部分であって前記基板接続脚部の近傍位置に、グランド用導電路が形成され、かつ
前記シールドプレートには、前記グランド用導電路に接続されるグランド接続部が設けられ、
前記シールドプレートが前記シールド位置に移動された際に、前記グランド用導電路に対して前記グランド接続部が接続される構成になされていることを特徴とする電気コネクタ。
【請求項２】
前記シールドプレートのグランド接続部が、前記配線基板に対して、半田接合又は機械的結合手段により固定されることを特徴とする請求項１記載の電気コネクタ。
【請求項３】
前記コネクタ本体部に、当該コネクタ本体部の外表面を覆うシールドシェル部材が装着されたものであって、
前記シールドシェル部材と前記シールドプレートとにより、前記基板接続脚部を含むコンタクト部材の全体が前記配線基板の外方側から覆われる構成になされていることを特徴とする請求項１記載の電気コネクタ。
【請求項４】
前記シールドプレートが、前記配線基板の外方側から前記基板接続脚部を含むコンタクト部材の全体を覆うように形成されていることを特徴とする請求項１記載の電気コネクタ。
【請求項５】
前記相手コネクタには、当該相手コネクタの嵌合状態を維持する嵌合保持部材が設けられ、
前記嵌合保持部材は、前記嵌合状態を維持する位置と、前記嵌合状態を解除する位置との間で往復移動可能となるように構成されていることを特徴とする請求項１記載の電気コネクタ。
【請求項６】
前記コネクタ本体部には、前記嵌合保持部材を嵌合作用位置に保持するロック部が設けられていることを特徴とする請求項５記載の電気コネクタ。
【発明の詳細な説明】
【技術分野】
【０００１】
本発明は、適宜の信号伝送媒体を配線基板に電気接続するための嵌合構造を備えた電気コネクタに関する。
【背景技術】
【０００２】
一般に各種電気機器等において、ＦＰＣ（フレキシブル・プリンテッド・サーキット）や、ＦＦＣ（フレキシブル・フラット・ケーブル）、或いは同軸ケーブル等からなる各種信号伝送媒体の端末部分を印刷配線基板に接続するにあたって、電気コネクタ装置が広く用いられている。その電気コネクタ装置は、例えば印刷配線基板上に実装される第１コネクタ（リセプタクルコネクタ）に対して、同軸ケーブル等の信号伝送媒体が連結された相手コネクタ（プラグコネクタ）が挿入されることで両電気コネクタどうしの嵌合が行われ、それら両電気コネクタにおけるコネクタ本体部（絶縁ハウジング）の内部に多極状に配列されたコンタクト部材（導電端子）を通して信号の伝送が行われるようになっている。
【０００３】
このような電気コネクタ装置においては、従来から、伝送信号に対する外部からの電磁波ノイズの影響を低減し、或いは外部に向かって放射される電磁波ノイズを低減するために、コネクタ本体部（絶縁ハウジング）の外表面やコンタクト部材の外方側を、薄板状金属部材からなる導電性シェルやシールドプレートで覆うことで電磁遮蔽（シールド）を行う構成がしばしば採用されている。
【０００４】
しかしながら、従来の電気コネクタは、コネクタ本体部の外表面が導電性シェル等で覆われているのみの構成になされており、上述したコンタクト部材（導電端子）の端末部、より具体的には配線基板との接続部位が、導電性シェル等で覆われることなく外方に露出した状態になされている。そのため、特に近年のように伝送信号が高周波化されてくるに従って、コンタクト部材（導電端子）の主体部分のみならず、配線基板との接続部位に対しても、外部からの電磁波ノイズの影響をなくし、またそのコンタクト部材の接続部位からの電磁波ノイズの外部放射を確実に防止することが必要になりつつある。
【０００５】
なお、従来からコンタクト部材と配線基板との接続部位に導電性のテープを貼り付けたものや、導電性シェルを延長して当該部位を覆うようにしたものがあるが、導電性テープを用いる場合には、導電性テープを貼り付けるという比較的手間の掛かる作業工程が付加されるため生産性が低下する傾向となっている。また、導電性シェルを延長して覆う場合にあっては、コンタクト部材と配線基板との接続部位が目視や画像検査等での確認ができなくなってしまい、接続が支障なく行われているか否かの検査・確認が難しくなるという問題がある。
【先行技術文献】
【特許文献】
【０００６】
【特許文献１】特開２００７−７３４２６号公報
【特許文献２】特開２０１１−２３８４１０号公報
【発明の開示】
【発明が解決しようとする課題】
【０００７】
そこで本発明は、簡易な構成で、配線基板との接続部位に関する電磁遮蔽を容易かつ確実に行うことができるようにした電気コネクタを提供することを目的とする。
【課題を解決するための手段】
【０００８】
上記目的を達成するため請求項１にかかる発明では、配線基板に実装された状態で相手コネクタが嵌合されるコネクタ本体部を備えたものであって、前記コネクタ本体部に取り付けられたコンタクト部材が、前記配線基板上の導電路に接続される基板接続脚部を有する電気コネクタにおいて、前記コネクタ本体部に、前記コンタクト部材の基板接続脚部を覆うシールドプレートが設けられ、当該シールドプレートが、前記コンタクト部材の基板接続脚部を配線基板の外方側から覆うシールド位置と、前記基板接続脚部を配線基板の外方に露出させる非シールド位置との間で往復移動可能に設けられているとともに、前記配線基板の表面部分であって前記基板接続脚部の近傍位置にグランド用導電路が形成され、かつ前記シールドプレートには、前記グランド用導電路に接続されるグランド接続部が設けられ、前記シールドプレートが前記シールド位置に移動された際に、前記グランド用導電路に対して前記グランド接続部が接続される構成になされている。
【０００９】
このような構成を備えた請求項１にかかる発明によれば、シールドプレートを、コンタクト部材の基板接続脚部を覆うシールド位置から、基板接続脚部を配線基板の外方に露出させる非シールド位置まで退避移動させることによって、配線基板上の導電路に対するコンタクト部材の接続状態が目視可能になされるとともに、そのシールドプレートを、コンタクト部材の基板接続脚部を覆うシールド位置に復帰移動させるという簡易な操作によって、基板接続脚部に対する電磁遮蔽（シールド）が確実に行われると同時に、シールドプレートに設けられたグランド接続部が、コンタクト部材の基板接続脚部の近傍に配置されたグランド用導電路に接続されることから、電磁遮蔽を行う部位の近傍位置でグランド接続が行われることとなり、電磁遮蔽を行うためのグランド回路の電気抵抗が低減されて良好な電磁遮蔽の特性が得られる。
【００１２】
このとき、請求項２にかかる発明のように、前記シールドプレートのグランド接続部が、前記配線基板に対して半田接合又は機械的結合手段により固定されることが望ましい。
【００１３】
このような構成を備えた請求項２にかかる発明によれば、電磁遮蔽（シールド）を行うためのグランド接続が、半田接合又は機械的結合手段によって確実かつ強固に行われるため、電磁遮蔽の特性が一層向上される。
【００１４】
また、請求項３にかかる発明のように、前記コネクタ本体部に、当該コネクタ本体部の外表面を覆うシールドシェル部材が装着されたものであって、前記シールドシェル部材と前記シールドプレートとにより、前記基板接続脚部を含むコンタクト部材の全体が前記配線基板の外方側から覆われる構成になされていることが望ましい。さらに、請求項４５にかかる発明のように、前記シールドプレートが、前記配線基板の外方側から前記基板接続脚部を含むコンタクト部材の全体を覆うように形成されていることが望ましい。
【００１５】
このような構成を備えた請求項３又は請求項４にかかる発明によれば、シールドシェル部材とシールドプレートとの双方、又はシールドプレート単独によって、コンタクト部材に対する電磁遮蔽（シールド）特性が更に高められることとなる。
【００１６】
さらにまた、請求項５にかかる発明のように、前記相手コネクタには、当該相手コネクタの嵌合状態を維持する嵌合保持部材が設けられ、前記嵌合保持部材は、前記嵌合状態を維持する位置と、前記嵌合状態を解除する位置との間で往復移動可能となるように構成されていることが望ましい。さらに、請求項６にかかる発明のように、前記相手コネクタには、前記嵌合保持部材を嵌合作用位置に保持するロック部が設けられていることが望ましい。
【００１７】
このような構成を備えた請求項５又は請求項６にかかる発明によれば、両電気コネクタ同士の嵌合状態が良好に保持される。
【発明の効果】
【００１８】
以上のように本発明は、相手コネクタが嵌合されるコネクタ本体部に、コンタクト部材の基板接続脚部を覆って電磁遮蔽（シールド）を行うシールドプレートを設け、そのシールドプレートを、基板接続脚部を外方に露出させる非シールド位置まで退避移動可能とすることで、配線基板に対するコンタクト部材の接続状態を目視可能とする一方、そのシールドプレートを、基板接続脚部を覆うシールド位置まで復帰移動させることによって、コンタクト部材に対する電磁遮蔽を容易に行うと同時に、シールドプレートに設けたグランド接続部を、コンタクト部材の基板接続脚部の近傍に配置したグランド用導電路に接続させ、電磁遮蔽を行う部位の近傍位置でグランド接続を行うことにより、電磁遮蔽を行うためのグランド回路の電気抵抗を低減して良好な電磁遮蔽の特性が得られるように構成したものであるから、簡易な構成で、コンタクト部材の基板接続脚部に対する電磁遮蔽を容易かつ確実に行うことができ、電気コネクタの信頼性を低廉かつ大幅に高めることができる。
【図面の簡単な説明】
【００１９】
【図１】相手コネクタとしてのプラグコネクタを嵌合する前であってシールドプレートを「非シールド位置」に移動させた本発明の一実施形態にかかるリセプタクルコネクタを表した外観斜視説明図である。
【図２】図１の状態からシールドプレートを「シールド位置」に移動させた状態を表した外観斜視説明図である。
【図３】図２に示した本発明の一実施形態にかかるリセプタクルコネクタに対して、相手コネクタとしてのプラグコネクタを嵌合させた状態を表した外観斜視説明図である。
【図４】図３の状態から嵌合保持部材を嵌合作用位置まで回動させた状態を表した外観斜視説明図である。
【図５】図４に示した嵌合状態にある電気コネクタ装置の平面説明図である。
【図６】図４に示した嵌合状態にある電気コネクタ装置の正面説明図である。
【図７】図４に示した嵌合状態にある電気コネクタ装置の側面説明図である。
【図８】図４に示した嵌合状態にある電気コネクタ装置の背面説明図である。
【図９】両コネクタ同士を嵌合する前の状態における電気コネクタ装置の下段側同軸ケーブルの断面位置でのコネクタ長手方向に直交する方向の横断面説明図である。
【図１０】両コネクタ同士を嵌合する前の状態における電気コネクタ装置の上段側同軸ケーブルの断面位置におけるコネクタ長手方向に直交する方向の横断面説明図である。
【図１１】図８に表すC−C線における横断面説明図である。
【図１２】図８に表すD−D線における横断面説明図である。
【発明を実施するための形態】
【００２０】
以下、複数本の同軸ケーブルを印刷配線基板側に接続する電気コネクタに本発明を適用した場合の実施形態に関する説明を図面に基づいて詳細に行う。
【００２１】
［電気コネクタ装置の全体構造の概要］
まず、図１〜図１２に表された本発明の第１の実施形態にかかる電気コネクタ装置は、同軸ケーブルＳＣの端末部分が連結された相手コネクタとしてのプラグコネクタ１と、印刷配線基板Ｂ上に実装される本発明にかかるリセプタクルコネクタ２とからなる水平嵌合型電気コネクタを構成するものであって、嵌合の相手コネクタとしてのリセプタクルコネクタ２に対してプラグコネクタ１が略水平方向に対向配置された後に、印刷配線基板Ｂの表面に沿って上記プラグコネクタ１が近接するように移動されることによって、図３のようにプラグコネクタ１が、その先端側からリセプタクルコネクタ２の開口部を通して内部に差し込まれ、それによって両電気コネクタ１，２同士が嵌合状態になされる。
【００２２】
このように本実施形態では、プラグコネクタ（相手コネクタ）１をリセプタクルコネクタ２に差し込む方向、及びその反対方向に抜き出す方向が、印刷配線基板Ｂの表面延在方向とほぼ一致する構成になされているが、以下において印刷配線基板Ｂの表面が延在する方向を水平方向とし、その印刷配線基板Ｂの表面に直交する方向を上下方向とする。また、プラグコネクタ（相手コネクタ）１においては、当該プラグコネクタ１をリセプタクルコネクタ２に差し込む方向を前方向とし、その反対方向に抜き出す方向を後方向とする。さらに、リセプタクルコネクタ２においては、当該リセプタクルコネクタ２から上記プラグコネクタ１を抜き出す方向を前方向とし、その反対方向を後方向とする。
【００２３】
このような電気コネクタ装置を構成しているプラグコネクタ（相手コネクタ）１、及びリセプタクルコネクタ２の両電気コネクタは、細長状に形成された絶縁部材からなるコネクタ本体部としての絶縁ハウジング１１，２１をそれぞれ備えている。それら絶縁性の絶縁ハウジング１１，２１には、当該絶縁ハウジング（コネクタ本体部）１１，２１の長手方向（図７の紙面垂直方向）に沿って多数の導電コンタクト（コンタクト部材）１２，２２が、適宜のピッチ間隔で多極状をなすように配列されている。
【００２４】
また、これら両電気コネクタ１，２のうち、プラグコネクタ１における後方側の端縁部（以下、後端縁部という。）には、コネクタ長手方向に沿って多極状に並列するように配列された複数本の同軸ケーブルＳＣの端末部分が、上下の２段にわたって連結されている。それら上段及び下段の両同軸ケーブルＳＣ，ＳＣ同士は、多極配列の方向（コネクタ長手方向）において互いに半ピッチだけ位置ズレした配置関係になされている。
【００２５】
そのような各同軸ケーブルＳＣの端末部分においては、図９、および図１０に示される様に、被覆材が皮剥きされることによってケーブル中心導体（信号線）ＳＣａ及びケーブル外部導体（シールド線）ＳＣｂが同軸状をなすように露出されており、当該同軸ケーブルＳＣの中心軸線に沿うようにして配置されたケーブル中心導体ＳＣａが、後述する信号伝送用の導電コンタクト（導電端子）１２，２２に接続されることによって信号回路が構成されるようになっている。このケーブル中心導体ＳＣａに関する接続構造については後段において詳細に説明する。
【００２６】
また、ケーブル中心導体ＳＣａの外周側を同心状に取り囲むように配置されたケーブル外部導体ＳＣｂは、上下２段の多極配列段ごとに、導電性のグランド部材を構成しているグランドバーＧＢの内部を貫通するように配置されている。本実施形態における上下２段の各グランドバーＧＢは、上述した同軸ケーブルＳＣの多極配列方向（コネクタ長手方向）に沿って長尺状に延在する細長ブロック状部材から形成されており、当該各グランドバーＧＢが、同軸ケーブルＳＣのケーブル外部導体（シールド線）ＳＣｂに対して、半田付けやカシメや圧接等により一括的に接続されている。このようにして設けられた上下２段の各グランドバーＧＢは、後述する導電性シェル等を介して印刷配線基板Ｂに形成されたグランド回路に接続される構成になされている。
【００２７】
［絶縁ハウジング及び導電コンタクト］
一方、上述したプラグコネクタ（相手コネクタ）１、及びリセプタクルコネクタ２の両電気コネクタは、導電コンタクト部材（導電端子）１２，２２の多極配列方向（コネクタ長手方向）に細長状に延在する細長状の絶縁ハウジング（コネクタ本体部）１１，２１をそれぞれ備えている。これらの導電コンタクト部材１２，２２は、コネクタ長手方向（図９〜図１２の紙面垂直方向）に沿って適宜のピッチ間隔で配列されており、前述した上下２段の同軸ケーブルＳＣ，ＳＣにそれぞれ対応して、互いに形状が異なるように形成された２種類のものが、多極配列方向（コネクタ長手方向）に交互に配置されている。
【００２８】
ここで、プラグコネクタ１側に設けられた絶縁ハウジング１１は、コネクタ長手方向（多極配列方向）に延在するように形成されており、当該プラグコネクタ１の内部側に配置されてコネクタ本体部を形成している本体支持部１１ａと、その本体支持部１１ａから前方側に向かって延出するように設けられた嵌合突部１１ｂとを、一体的に備えた構成になされている。そして、その絶縁ハウジング１１の本体支持部１１ａから嵌合突部１１ｂにかけての内部には、上述した上下２段の両グランドバーＧＢ，ＧＢに接触するグランドコンタクトＧＣが埋設されている。
【００２９】
さらに、上述した絶縁ハウジング１１の本体支持部１１ａから嵌合突部１１ｂにかけての部位には、導電コンタクト部材１２が、絶縁ハウジング１１の上下両表面の各々から露出する状態で、インサート成形または圧入により埋設されている。すなわち、２種類をなすように形成された導電コンタクト部材１２の一方側が、絶縁ハウジング１１の上側表面から上方に露出するようにして略水平に延在する状態で配置されているとともに（図１０及び図１２参照）、当該導電コンタクト部材１２の他方側が、絶縁ハウジング１１の下側表面から下方に露出するようにして略水平に延在する状態で配置されており（図９及び図１１参照）、それら２種類の両導電コンタクト部材１２が、多極配列方向（コネクタ長手方向）に交互に配置されている。
【００３０】
このようなプラグコネクタ（相手コネクタ）１に設けられた各導電コンタクト部材１２の後端部分には、上下２段の各同軸ケーブルＳＣにおけるケーブル中心導体（信号線）ＳＣａが、上下両側から当接された状態でそれぞれ半田接続されている。これらのケーブル中心導体ＳＣａと導電コンタクト部材１２との半田接合は一括的に行うことが可能であるが、このようにしてプラグコネクタ１の導電コンタクト部材１２に同軸ケーブルＳＣが連結される。
【００３１】
一方、前述したように絶縁ハウジング（コネクタ本体部）１１の前端側に設けられた嵌合突部１１ｂの上下両表面には、上述した導電コンタクト部材１２の前方側部分を構成している端子電極部１２ａが、多極状の露出電極を形成するように配置されている。そして、この導電コンタクト部材１２の前方側延在部分を構成している端子電極部１２ａは、前述したようにプラグコネクタ１がリセプタクルコネクタ（相手コネクタ）２に嵌合されたときに、リセプタクルコネクタ２に設けられた導電コンタクト部材２２に対して弾性的に接触し、それによって信号伝送回路が構成される。なお、これらの導電コンタクト部材１２，２２は、グランド接続用として構成することも可能である。
【００３２】
一方、リセプタクルコネクタ（相手コネクタ）２の絶縁ハウジング（コネクタ本体部）２１に装着された導電コンタクト部材２２は、上述したプラグコネクタ１側の２種類の導電コンタクト部材１２に対応した２種類のものが多極状をなすように配列された構成になされている。すなわち、それら２種類の導電コンタクト部材２２のうちの一方は、上段側に配置された導電コンタクト部材１２の上方側に延出するように配置されているとともに（図１０及び図１２参照）、他方の導電コンタクト部材２２は、下段側に配置された導電コンタクト部材１２の下方側に延出するように配置されている（図９及び図１１参照）。そして、それらリセプタクルコネクタ２側に設けられた２種類の導電コンタクト部材２２は、両電気コネクタ１，２同士の嵌合時に、プラグコネクタ１側の２種類の導電コンタクト部材１２に対して、上下の両側から当接される構成になされている。
【００３３】
また、このリセプタクルコネクタ（相手コネクタ）２に設けられた導電コンタクト部材２２の後端部分（図９〜図１２の右方側）には、前述した印刷配線基板Ｂの表面上に沿って延在するように形成された基板接続脚部２２ａがそれぞれ設けられている。これらの基板接続脚部２２ａは、実際の使用時において、前述した印刷配線基板Ｂ上の信号導電路又はグランド接続用の導電路に載置されてから一括的に半田接合されることが可能である。
【００３４】
本実施形態における導電コンタクト部材２２は、上述した後端側に配置された基板接続脚部２２ａから上方に向かって立ち上がるように折り曲げ成形されており、その立ち上がり部位における上端部分から前方側（図９〜図１２の左方側）に向かって片持ち状に延在している。そして、当該導電コンタクト部材２２における前方側の先端部分には、上下の多極配列段ごとに下方側及び上方側に向かって山形状に張り出す接点凸部２２ｂがそれぞれ設けられている。これらの導電コンタクト部材２２に設けられた接点凸部２２ｂの下端側及び上方側の頂部は、前述したようにプラグコネクタ１がリセプタクルコネクタ（相手コネクタ）２に嵌合されたときに、プラグコネクタ１側の導電コンタクト部材１２の端子電極部１２ａに対して弾性的に接触されるように構成されている。そして、このような弾性的な接触関係により、上述した両接点部１２ａ，２２ｂ同士の電気的な接続が行われる。
【００３５】
［導電性シェル（シールドシェル部材）について］
一方、プラグコネクタ（相手コネクタ）１及びリセプタクルコネクタ２に設けられた各絶縁ハウジング（コネクタ本体部）１１，２１の外表面は、薄板状金属部材を適宜の形状に折曲形成した導電性シェル（シールドシェル部材）１３及び２３によりそれぞれ覆われている。これらの導電性シェル１３，２３は、各コネクタ１，２の内部に形成される信号伝送回路及びグランド回路を覆うことによって電磁遮蔽性（シールド性）を持たせる部材として装着されたものであるが、グランド回路の一部を構成する部材でもある。
【００３６】
このとき、プラグコネクタ（相手コネクタ）１側に設けられた導電性シェル（シールドシェル部材）１３は、絶縁ハウジング（コネクタ本体部）１１を上下から挟む一対のシェル片部材の嵌合体から構成されており、当該導電性シェル１３の上半側部分及び下半側部分の両シェル片部分が、同軸ケーブルＳＣに対して両グランドバー（グランド部材）ＧＢ，ＧＢが半田接合された後に、絶縁ハウジング（コネクタ本体部）１１に対して上方側及び下方側から被せるようにして装着されている。このような導電性シェル１３の上側表面及び下側表面には、多極配列方向であるコネクタ長手方向に沿って複数体のグランド接続舌片１３ａが切欠き形成されている。それらの各グランド接続舌片１３ａは、コネクタ内方側の空間に向かって斜め方向に突出する片持ちの板バネ状をなすように切り起こされており、前述したグランドバーＧＢの上面側に対して弾性的に接触又は半田接合されている。
【００３７】
［リセプタクルコネクタの導電性シェル（シールドシェル部材）］
これに対して、図１、および図２に示される様に、リセプタクルコネクタ２に設けられた導電性シェル（シールドシェル部材）２３は、前述した絶縁ハウジング２１とともにコネクタ本体部を構成しているが、その絶縁ハウジング２１をコネクタ長手方向の両側外方から挟むようにして、一対のホールドダウン２３ａ，２３ａが互いに対向するように設けられている。すなわち、それらの両ホールドダウン２３ａ，２３ａは、導電性シェル２３の側面壁部を形成するように配置されており、当該各ホールドダウン２３ａの下端縁部分が、印刷配線基板Ｂ上に形成されたグランド用導電路に対して半田接合されることで、グランド回路の電気的な接続が行われるとともに、リセプタクルコネクタ２の全体が強固に固定されるようになっている。
【００３８】
また、上述したようにコネクタ長手方向の両端部分に配置された両ホールドダウン２３ａ，２３ａ同士は、絶縁ハウジング（コネクタ本体部）２１の上面に沿って延在する上側シェル板２３ｂによって一体的に連結されており、それらの両ホールドダウン２３ａ，２３ａと上側シェル板２３ｂとにより、導電コンタクト（コンタクト部材）２２の基板接続脚部２２ａを除いた主体部分が、印刷配線基板Ｂの外方側（上方側）から覆われるようになっている。
【００３９】
このときの導電性シェル（シールドシェル部材）２３のホールドダウン２３ａ，２３ａには、当該ホールドダウン２３ａ，２３ａ同士をコネクタ長手方向に掛け渡すようにしてシールドプレート２４が回動自在に取り付けられている。このシールドプレート２４は、コネクタ長手方向に沿って細長状に延在する薄板状金属部材から形成されており、上述した導電コンタクト（コンタクト部材）２２のコネクタ後方側に配置されていることによって、当該導電コンタクト２２の基板接続脚部２２ａをコネクタ後方側から覆う位置と開放する位置との間で回動される構成になされている。
【００４０】
このシールドプレート２４の具体的な構成を説明すると、コネクタ長手方向における両側部分には、ホールドダウン２３ａ，２３ａに向かって略直角に折れ曲がって延出する回動連結板２４ａ，２４ａが形成されており、それらの各回動連結板２４ａが、ホールドダウン２３ａを形成している導電性シェル（シールドシェル部材）２３の側面壁部に対して回動自在に枢着されている。例えば、回動連結板２４ａ，２４ａに孔部とホールドダウン２３ａ，２３ａを加工して突部を形成し、該孔部と該突部とを嵌め合せて、回動自在な動作を可能とすることが出来る。この様なシールドプレート２４は、上述したように基板接続脚部２２ａをコネクタ後方側（図５の下方側）から覆う「シールド位置」と、そのシールド位置から上方に跳ね上げられるように回動されて基板接続脚部２２ａを開放状態とする「非シールド位置」との間で往復回動される構成になされている。
【００４１】
そして、このようなシールドプレート２４が、まず「シールド位置」に回動された状態にあっては、導電コンタクト（コンタクト部材）２２の基板接続脚部２２ａの後方側に当該シールドプレート２４が近接した位置に配置され、そのときのシールドプレート２４は、配線基板Ｂの表面から上方に立ち上がるように配置される。その結果、導電コンタクト（コンタクト部材）２２の基板接続脚部２２ａが、シールドプレート２４により後方側から覆われることとなる。
【００４２】
一方、前述したように導電コンタクト（コンタクト部材）２２の基板接続脚部２２ａを除いた主体部分は、導電性シェル（シールドシェル部材）２３の上側シェル板２３ｂ及びホールドダウン２３ａにより覆われている。従って、シールドプレート２４が「シールド位置」まで回動されることにより、導電コンタクト２２の基板接続脚部２２ａ及び主体部分を含む全体が、導電性シェル２３及びシールドプレート２４によって印刷配線基板Ｂの外方側から覆われ、それによって電磁遮蔽（シールド）が良好に行われるようになっている。
【００４３】
なお、この「シールド位置」に配置されたシールドプレート２４の上縁に相当する部分には、コネクタ前方側に向かって略直角に折れ曲がって延出する上縁エッジ部２４ｂが形成されている。そのシールドプレート２４の上縁エッジ部２４ｂは、導電性シェル（シールドシェル部材）２３の上側シェル板２３ｂに対して上方側から重なり合うように延出しており、それらの導電性シェル２３及びシールドプレート２４によって導電コンタクト２２の基板接続脚部２２ａの上方側部分が確実に覆われ、上述した電磁遮蔽（シールド）が一層良好に行われる。
【００４４】
一方、上述したように「シールド位置」にあるシールドプレート２４を、上側シェル板２３ｂの上方位置まで跳ね上げるように回動させることで、当該シールドプレート２４は「非シールド位置」に移動させられる。このようにシールドプレート２４が「非シールド位置」まで回動されると、特に図１に示されているように、導電コンタクト（コンタクト部材）２２の基板接続脚部２２ａが、コネクタ後方側に向かって開放された露出状態になされる。
【００４５】
さらに、上述したシールドプレート２４には、当該シールドプレート２４が「シールド位置」まで回動されたときの下端に相当する端縁部分に、印刷配線基板Ｂの表面上に形成されたグランド用導電路Ｂ１に接触する複数（５体）のグランド接続部２４ｃ，２４ｃ，・・・が、コネクタ後方側に向かって略直角に折れ曲がって突出するように形成されている。これらの各グランド接続部２４ｃは、シールドプレート２４の下端縁部分を切り起こすようにして形成されており、コネクタ長手方向において略等間隔で配置されている。そして、それらの各グランド接続部２４ｃは、シールドプレート２４が「シールド位置」まで回動された際に、印刷配線基板Ｂの表面上に接触する位置関係となるように配置されている。
【００４６】
一方、上述したようなシールドプレート２４のグランド接続部２４ｃに対応して、印刷配線基板Ｂの表面上には、複数（５体）のグランド用導電路Ｂ１，Ｂ１，・・・が形成されている。それらの各グランド用導電路Ｂ１は、前述したリセプタクルコネクタ２の導電コンタクト（コンタクト部材）２２の基板接続脚部２２ａに対して、コネクタ後方側の近傍において、コネクタ長手方向に略等間隔で並列するように形成されている。これらの各グランド用導電路Ｂ１は、上述したようにシールドプレート２４のグランド接続部２４ｃに対応した位置に配置されていて、シールドプレート２４が「シールド位置」まで回動された際に、当該シールドプレート２４のグランド接続部２４ｃが、上述した各グランド用導電路Ｂ１に対して上方側から接触する配置関係になされている。このようにシールドプレート２４が、グランド接続部２４ｃを介してグランド用導電路Ｂ１に接続されることによって、当該シールドプレート２４により電磁遮蔽（シールド）が行われる位置の近傍においてグランド回路が形成されることとなる。
【００４７】
［嵌合保持部材］
次に、相手コネクタとしてのプラグコネクタ１が、リセプタクルコネクタ２に嵌合された嵌合状態は、特に図３、４で示される様にプラグコネクタ（相手コネクタ）１に嵌合保持部材として設けられた嵌合回動アーム１４によって維持されるように構成されている。また、リセプタクルコネクタ２に嵌合したプラグコネクタ１をリセプタクルコネクタ２から抜去する際にあっては、嵌合回動アーム（嵌合保持部材）１４を開放させる操作が行われることによって両電気コネクタ１，２同士が抜去可能な状態になされる。
【００４８】
すなわち、その嵌合回動アーム（嵌合保持部材）１４は、上述したプラグコネクタ１の導電性シェル１３に回動可能に取り付けられたものであって、当該嵌合回動アーム１４のコネクタ長手方向両端部分に設けられた回動軸部１４ａ，１４ａが、前記導電性シェル１３の後端部分におけるコネクタ長手方向両端部分に設けられた軸受け部１３ｄ，１３ｄに遊嵌状態で回動可能に挿入されている。この嵌合回動アーム１４に設けられた一対の回動軸部１４ａ，１４ａは、横断面が略矩形状をなすように形成されており、当該各回動軸部１４ａの外周表面を構成しているいずれかの平坦面に対して、前記軸受け部１３ｄに設けられたバネ規制部材１３ｅの付勢力が付与されるように構成されており、そのバネ規制部材１３ｅの付勢力によって、後述する「嵌合開放位置」及び「嵌合作用位置」に前記回動軸部１４ａが軽く保持される構成になされている。
【００４９】
また、上述した回動軸部１４ａにおけるコネクタ長手方向の外端部分からは、連結腕部１４ｂが、回動半径方向にほぼ沿うようにして延出しており、その連結腕部１４ｂの延出端部分である回動側の先端部分どうしが、コネクタ長手方向に沿って略直線状に延在する回動操作部１４ｃにより一体的に連結されている。そして、その回動操作部１４ｃの一部を作業者が把持して適宜の回動力を付与することによって、前記嵌合回動アーム１４の全体が、図３に示された「嵌合開放位置」と、図４に示された「嵌合作用位置」との間で回動されるようになっている。
【００５０】
このとき、リセプタクルコネクタ（相手コネクタ）２に設けられた導電性シェル（シールドシェル部材）２３には、「嵌合作用位置」に回動された嵌合回動アーム（嵌合保持部材）１４の連結腕部１４ｂが軽嵌合されるロック部２３ｃが、前述した上側シェル板２３ｂのコネクタ長手方向両側部分から外方に張り出すように設けられている。そして、上述したようにプラグコネクタ（相手コネクタ）１がリセプタクルコネクタ２に嵌合された状態で、嵌合回動アーム１４が「嵌合作用位置」の近傍まで回動されてくると、その嵌合回動アーム１４に設けられた連結腕部１４ｂが、前記ロック部２３ｃの外方張り出し部を乗り越えるようにして回動されることとなる。そのようにして嵌合回動アーム１４の連結腕部１４ｂがロック部２３ｃを乗り越えた直後に、前記ロック部２３ｃが嵌合回動アーム１４の連結腕部１４ｂの上面側に対して弾性的に圧接し、それによって当該嵌合回動アーム１４の全体が「嵌合作用位置」に弾性的に保持されるようになっている。このように、プラグコネクタ１がリセプタクルコネクタ（相手コネクタ）２に嵌合された状態で、嵌合回動アーム１４を「嵌合開放位置」から「嵌合作用位置」まで回動させれば、両電気コネクタ１，２どうしが分離することなく嵌合状態に保持される構成になされている。
【００５１】
さらに、「嵌合作用位置」に回動された際における嵌合回動アーム（嵌合保持部材）１４の回動操作部１４ｃは、前述したシールドプレート２４のグランド接続部２４ｃに対して上方側から近接するように配置される。
【００５２】
このような構成を備えた本発明にかかる実施形態によれば、導電性シェル（シールドシェル部材）２３に回動可能に取り付けられたシールドプレート２４を、導電コンタクト（コンタクト部材）２２の基板接続脚部２２ａを覆う「シールド位置」（図２参照）から、基板接続脚部２２ａを外方に露出させる「非シールド位置」（図１参照）まで上方に跳ね上げるように退避移動させることにより、導電コンタクト２２の基板接続脚部２２ａが開放状態となり、印刷配線基板Ｂ上の導電路に対する導電コンタクト２２の接続状態が目視可能になされる。
【００５３】
一方、そのように上方に跳ね上げられて「非シールド位置」に移動されたシールドプレート２４を、再び下方に向かって回動させることで、導電コンタクト２２の基板接続脚部２２ａを覆う「シールド位置」に復帰移動させれば、基板接続脚部２２ａがシールドプレート２４により印刷配線基板Ｂの外方側から覆われることとなる。すなわち、シールドプレート２４を回動させるという簡易な操作によって、基板接続脚部２２ａに対する電磁遮蔽（シールド）が確実に行われる。
【００５４】
また、本実施形態によれば、シールドプレート２４を、下方の「シールド位置」まで回動させることによって、導電コンタクト２２の基板接続脚部２２ａに対する電磁遮蔽（シールド）が行われると同時に、シールドプレート２４に設けられたグランド接続部２４ｃが、導電コンタクト２２の基板接続脚部２２ａの近傍に配置されたグランド用導電路Ｂ１に接続されることから、電磁遮蔽を行う部位の近傍位置においてグランド接続が行われることとなり、電磁遮蔽を行うためのグランド回路の電気抵抗が低減されて良好な電磁遮蔽の特性が得られる。
【００５５】
なお、上述した実施形態においては、シールドプレート２４に設けられたグランド接続部２４ｃが、印刷配線基板Ｂに対して半田接合されているが、固定ネジ等の機械的結合手段により固定されることができる。また、このときのシールドプレート２４のグランド接続部２４が、グランド用導電路Ｂ１に対して弾性的に接触する複数の板バネ状部材を備えていれば、電気的な接続状態が改善されることから、電磁遮蔽（シールド）の特性が一層向上される。
【００５６】
さらに、本実施形態によれば、相手コネクタであるプラグコネクタ１をリセプタクルコネクタ２に嵌合する前に、リセプタクルコネクタ２のシールドプレート２４を「シールド位置」に回動しておくことにより、リセプタクルコネクタ２の導電コンタクト２２がシールドプレート２４により覆われて保護状態になされることとなり、当該導電コンタクト２２に対して半田材などの異物の付着が防止され、良好な電気接続が確保される。
【００５７】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００５８】
例えば、上述した実施形態においては、シールドプレート２４及び導電性シェル（シールドシェル部材）２３の双方によって、導電コンタクト（コンタクト部材）２２の全体を印刷配線基板Ｂの外方側から覆う構成としているが、導電性シェルを備えていない電気コネクタに本発明を採用した場合にあっては、シールドプレート２４の単独で導電コンタクト２２の全体を印刷配線基板Ｂの外方側から覆う構成とすることもできる。
【００５９】
また、上述した実施形態においては、シールドプレートを回動させる構成が採用されているが、シールドプレートを直線的に往復移動させる構成とすることも可能である。
【００６０】
さらにまた本発明は、上述した実施形態のような同軸ケーブル用コネクタに限定されることはなく、絶縁ケーブル用コネクタや、同軸ケーブルと絶縁ケーブルとが複数混合したタイプの電気コネクタや、フレキシブル配線基板等が連結される電気コネクタ、プリント基板同士を接続する基板対基板コネクタ等についても同様に適用することが可能である。
【産業上の利用可能性】
【００６１】
以上のように本実施形態は、各種電気機器に使用される多種多様な電気コネクタに対して広く適用することが可能である。
【符号の説明】
【００６２】
１  プラグコネクタ（相手コネクタ）
１１  絶縁ハウジング（コネクタ本体部）
１１ａ  本体支持部
１１ｂ  嵌合突部
１２  導電コンタクト（コンタクト部材）
１２ａ  端子電極部
１３  導電性シェル（コネクタ本体部）
１３ａ  グランド接続舌片
１３ｄ  軸受け部
１３ｅ  バネ規制部材
１４  嵌合回動アーム（嵌合保持部材）
１４ａ  回動軸部
１４ｂ  連結腕部
１４ｃ  回動操作部
ＧＢ  グランドバー
ＧＣ  グランドコンタクト
ＳＣ  同軸ケーブル
ＳＣａ  ケーブル中心導体（信号線）
ＳＣｂ  ケーブル外部導体（シールド線）
２  リセプタクルコネクタ
２１  絶縁ハウジング（コネクタ本体部）
２２  導電コンタクト（コンタクト部材）
２２ａ  基板接続脚部
２２ｂ  接点凸部
２３  導電性シェル（コネクタ本体部）
２３ａ  ホールドダウン
２３ｂ  上側シェル板
２３ｃ  ロック部
２４  シールドプレート
２４ａ  回動連結板
２４ｂ  上縁エッジ部
２４ｃ  グランド接続部
Ｂ  印刷配線基板
Ｂ１  グランド用導電路
【図１】
0006442964.tif 000002
【図２】
0006442964.tif 000003
【図３】
0006442964.tif 000004
【図４】
0006442964.tif 000005
【図５】
0006442964.tif 000006
【図６】
0006442964.tif 000007
【図７】
0006442964.tif 000008
【図８】
0006442964.tif 000009
【図９】
0006442964.tif 000010
【図１０】
0006442964.tif 000011
【図１１】
0006442964.tif 000012
【図１２】
0006442964.tif 000013